(57)【要約】【課題】電子メールの受信者にとって利益のある懸賞提供サービスを行うことが可能な抽選機能付き電子メール処理サーバを提供する。【解決手段】携帯電話機間の電子メールの送受信を中継し、携帯電話機のユーザに対して懸賞を与える為の抽選を行うＳＭＴＰサーバ１００であって、送信側携帯電話機２００からの電子メールを受信する受信部１０１、電子メールを送信側携帯電話機３００に送信する送信部１０３、受信部１０１で受信した電子メールの送信情報を電子メールの送信先の携帯電話機毎に蓄積する送信情報蓄積部１０４、送信情報蓄積部１０４により蓄積された送信情報に応じて、送信側携帯電話機３００のユーザに対して行う抽選の当選確率を決定し、決定した当選確率で送信側携帯電話機３００のユーザに対して抽選を行う抽選部１０５とを備える。【選択図】　図１
2004118557.tif 000002
【特許請求の範囲】
【請求項１】
携帯端末間の電子メールの送受信を中継し、前記携帯端末のユーザに対して懸賞を与える為の抽選を行う抽選機能付き電子メール処理サーバであって、
送信元の携帯端末からの電子メールを受信し、送信先の携帯端末に送信する送受信手段と、
前記送受信手段により送信される電子メールの送信情報を前記電子メールの送信先の携帯端末毎に蓄積する蓄積手段と、
前記蓄積手段により蓄積された送信情報に応じて、前記送信先の携帯端末のユーザに対して行う抽選の当選確率を決定する当選確率決定手段と、
前記当選確率決定手段により決定された当選確率で前記抽選を行う抽選手段とを備えることを特徴とする抽選機能付き電子メール処理サーバ。
【請求項２】
携帯端末間の電子メールの送受信を中継し、前記携帯端末のユーザに対して懸賞を与える為の抽選を行う抽選機能付き電子メール処理サーバであって、
送信元の携帯端末からの電子メールを受信する受信手段と、
前記電子メールが送信されてきたことを通知する為の通知情報を送信先の携帯端末に送信する通知情報送信手段と、
前記通知情報に応じて前記送信先の携帯端末から送信されてくる、前記通知のあった電子メールの送信要求情報を受信する送信要求情報受信手段と、
前記送信要求情報受信手段で受信した送信要求情報に応じて、前記電子メールを前記送信先の携帯端末に送信する送信手段と、
前記送信手段により送信される電子メールの送信情報を前記電子メールの送信先の携帯端末毎に蓄積する蓄積手段と、
前記蓄積手段により蓄積された送信情報に応じて、前記送信先の携帯端末のユーザに対して行う抽選の当選確率を決定する当選確率決定手段と、
前記当選確率決定手段により決定された当選確率で前記抽選を行う抽選手段とを備えることを特徴とする抽選機能付き電子メール処理サーバ。
【請求項３】
携帯端末間の電子メールの送受信を中継し、前記携帯端末のユーザに対して懸賞を与える為の抽選を行う抽選機能付き電子メール処理サーバであって、
送信元の携帯端末からの電子メールを受信し、送信先の携帯端末に送信する送受信手段と、
前記送受信手段により送信される電子メールの送信情報を、前記電子メールの送信先の携帯端末毎に蓄積する蓄積手段と、
前記蓄積手段により蓄積された送信情報が所定条件を満たした場合、前記送信先の携帯端末のユーザに対して前記抽選を行う抽選手段とを備えることを特徴とする抽選機能付き電子メール処理サーバ。
【請求項４】
携帯端末間の電子メールの送受信を中継し、前記携帯端末のユーザに対して懸賞を与える為の抽選を行う抽選機能付き電子メール処理サーバであって、
送信元の携帯端末からの電子メールを受信する受信手段と、
前記電子メールが送信されてきたことを通知する為の通知情報を送信先の携帯端末に送信する通知情報送信手段と、
前記通知情報に応じて前記送信先の携帯端末から送信されてくる、電子メールの送信要求情報を受信する送信要求情報受信手段と、
前記送信要求情報受信手段で受信した送信要求情報に応じて、前記電子メールを前記送信先の携帯端末に送信する送信手段と、
前記送信手段により送信される電子メールの送信情報を前記送信先の携帯端末毎に蓄積する蓄積手段と、
前記蓄積手段により蓄積された送信情報が所定条件を満たした場合、前記送信先の携帯端末のユーザに対して前記抽選を行う抽選手段とを備えることを特徴とする抽選機能付き電子メール処理サーバ。
【請求項５】
請求項１〜４のいずれか記載の抽選機能付き電子メール処理サーバであって、
前記抽選によって当選したユーザに提供される懸賞の内容を示す情報が格納される、ネットワーク上に構築された格納場所の格納場所情報をデータベースから取得する取得手段と、
前記取得手段により取得された格納場所情報を、前記抽選によって当選したユーザの携帯端末を送信先とする電子メールに添付して前記送信先の携帯端末に送信する格納場所情報送信手段とを備えることを特徴とする抽選機能付き電子メール処理サーバ。
【請求項６】
請求項１〜４のいずれか記載の抽選機能付き電子メール処理サーバであって、
前記懸賞は前記携帯端末で再生可能なデジタルコンテンツを含み、
前記デジタルコンテンツが格納される、ネットワーク上に構築された格納場所を示す格納場所情報をデータベースから取得する取得手段と、
前記取得手段により取得された格納場所情報を、前記抽選によって当選したユーザの携帯端末を送信先とする電子メールに添付して、前記送信先の携帯端末に送信する格納場所情報送信手段とを備えることを特徴とする抽選機能付き電子メール処理サーバ。
【発明の詳細な説明】
【０００１】
【発明の属する技術分野】
本発明は、携帯端末間の電子メールの送受信を中継し、携帯端末のユーザに対して懸賞を与える為の抽選を行う抽選機能付き電子メール処理サーバに関する。
【０００２】
【従来の技術】
従来から端末のユーザに対して懸賞を与える為の抽選を行うサービスが行われている。このサービスは、ユーザが端末を利用して懸賞サーバにアクセスし、所定の懸賞に応募し、抽選により当選した場合に、その懸賞がユーザに提供されるというものである。更に、このサービスでは、端末からサーバへのアクセス回数に応じて抽選の当選確率を上げる処理を行うことが可能であり、アクセス回数の多いユーザほど、懸賞を貰える確率が高くなる為、サーバの管理者側としては、サーバへのアクセス数の増加を期待できるといった利点がある（例えば、特許文献１参照）。
【０００３】
【特許文献１】
特開２００２−１１７３２３号公報
【０００４】
【発明が解決しようとする課題】
上記従来のサービスを、電子メールの送受信を中継するサーバに適用する場合を考える。この場合、電子メールの送信者が送信先に対して電子メールを送信することで懸賞への応募がなされ、電子メールの送信回数に応じて、抽選の当選確率を上げるといったサービスにすることで、電子メールの利用促進を期待することができる。
【０００５】
しかしながら、上記の電子メールの送受信を行う端末が携帯電話機であった場合、電子メールの送受信には送信側及び受信側に通信料が発生してしまう。この為、電子メールの送信者は、多数の電子メールを送信先の携帯電話機に送信することで、自身の当選確率を上げることができ、懸賞を貰える可能性が高くなるが、電子メールの受信者にとっては、懸賞が貰えないにも関わらず、これら多数の電子メールを受信した際に発生する通信料を負担しなければならないという問題が発生してしまう。
【０００６】
本発明は、上記問題点に鑑みて為されたものであり、電子メールの受信者にとっても利益のある懸賞提供サービスを行うことが可能な抽選機能付き電子メール処理サーバを提供することを目的とする。
【０００７】
【課題を解決するための手段】
本発明の抽選機能付き電子メール処理サーバは、携帯端末間の電子メールの送受信を中継し、前記携帯端末のユーザに対して懸賞を与える為の抽選を行う抽選機能付き電子メール処理サーバであって、送信元の携帯端末からの電子メールを受信し、送信先の携帯端末に送信する送受信手段と、前記送受信手段により送信される電子メールの送信情報を前記電子メールの送信先の携帯端末毎に蓄積する蓄積手段と、前記蓄積手段により蓄積された送信情報に応じて、前記送信先の携帯端末のユーザに対して行う抽選の当選確率を決定する当選確率決定手段と、前記当選確率決定手段により決定された当選確率で前記抽選を行う抽選手段とを備える。
【０００８】
この構成により、蓄積される電子メールの送信情報に応じて、電子メール送信先の携帯端末のユーザに対して行われる抽選の当選確率が決定される。この為、例えば、電子メール受信量の多いユーザの当選確率は高くなるようにすることで、電子メール受信者にとって利益のあるサービスを提供することが可能となる。
【０００９】
本発明の抽選機能付き電子メール処理サーバは、携帯端末間の電子メールの送受信を中継し、前記携帯端末のユーザに対して懸賞を与える為の抽選を行う抽選機能付き電子メール処理サーバであって、送信元の携帯端末からの電子メールを受信する受信手段と、前記電子メールが送信されてきたことを通知する為の通知情報を送信先の携帯端末に送信する通知情報送信手段と、前記通知情報に応じて前記送信先の携帯端末から送信されてくる、前記通知のあった電子メールの送信要求情報を受信する送信要求情報受信手段と、前記送信要求情報受信手段で受信した送信要求情報に応じて、前記電子メールを前記送信先の携帯端末に送信する送信手段と、前記送信手段により送信される電子メールの送信情報を前記電子メールの送信先の携帯端末毎に蓄積する蓄積手段と、前記蓄積手段により蓄積された送信情報に応じて、前記送信先の携帯端末のユーザに対して行う抽選の当選確率を決定する当選確率決定手段と、前記当選確率決定手段により決定された当選確率で前記抽選を行う抽選手段とを備える。
【００１０】
この構成により、蓄積される電子メールの送信情報に応じて、電子メール送信先の携帯端末のユーザに対して行われる抽選の当選確率が決定される。この為、例えば、電子メール受信量の多いユーザの当選確率は高くなるようにすることで、電子メール受信者にとって利益のあるサービスを提供することが可能となる。
【００１１】
本発明の抽選機能付き電子メール処理サーバは、携帯端末間の電子メールの送受信を中継し、前記携帯端末のユーザに対して懸賞を与える為の抽選を行う抽選機能付き電子メール処理サーバであって、送信元の携帯端末からの電子メールを受信し、送信先の携帯端末に送信する送受信手段と、前記送受信手段により送信される電子メールの送信情報を、前記電子メールの送信先の携帯端末毎に蓄積する蓄積手段と、前記蓄積手段により蓄積された送信情報が所定条件を満たした場合、前記送信先の携帯端末のユーザに対して前記抽選を行う抽選手段とを備える。
【００１２】
この構成により、蓄積される電子メールの送信情報に応じて、電子メール送信先の携帯端末のユーザに懸賞を与える為の抽選が行われる。この為、電子メール受信量の多いユーザにのみ抽選を行うことで、電子メール受信者にとって利益のあるサービスを提供することが可能となる。
【００１３】
本発明の抽選機能付き電子メール処理サーバは、携帯端末間の電子メールの送受信を中継し、前記携帯端末のユーザに対して懸賞を与える為の抽選を行う抽選機能付き電子メール処理サーバであって、送信元の携帯端末からの電子メールを受信する受信手段と、前記電子メールが送信されてきたことを通知する為の通知情報を送信先の携帯端末に送信する通知情報送信手段と、前記通知情報に応じて前記送信先の携帯端末から送信されてくる、電子メールの送信要求情報を受信する送信要求情報受信手段と、前記送信要求情報受信手段で受信した送信要求情報に応じて、前記電子メールを前記送信先の携帯端末に送信する送信手段と、前記送信手段により送信される電子メールの送信情報を前記送信先の携帯端末毎に蓄積する蓄積手段と、前記蓄積手段により蓄積された送信情報が所定条件を満たした場合、前記送信先の携帯端末のユーザに対して前記抽選を行う抽選手段とを備える。
【００１４】
この構成により、蓄積される電子メールの送信情報に応じて、電子メール送信先の携帯端末のユーザに懸賞を与える為の抽選が行われる。この為、電子メール受信量の多いユーザにのみ抽選を行うことで、電子メール受信者にとって利益のあるサービスを提供することが可能となる。
【００１５】
又、本発明の抽選機能付き電子メール処理サーバは、前記抽選によって当選したユーザに提供される懸賞の内容を示す情報が格納される、ネットワーク上に構築された格納場所の格納場所情報をデータベースから取得する取得手段と、前記取得手段により取得された格納場所情報を、前記抽選によって当選したユーザの携帯端末を送信先とする電子メールに添付して前記送信先の携帯端末に送信する格納場所情報送信手段とを備える。
【００１６】
この構成により、抽選により当選したユーザが、電子メールに添付されている格納場所情報に基づいて懸賞の内容を確認することができる。又、当選したことを示す格納場所情報が電子メールに添付されている為、ユーザは、抽選により当選したことをリアルタイムに認識することができる。
【００１７】
又、本発明の抽選機能付き電子メール処理サーバは、前記懸賞は前記携帯端末で再生可能なデジタルコンテンツを含み、前記デジタルコンテンツが格納される、ネットワーク上に構築された格納場所を示す格納場所情報をデータベースから取得する取得手段と、前記取得手段により取得された格納場所情報を、前記抽選によって当選したユーザの携帯端末を送信先とする電子メールに添付して、前記送信先の携帯端末に送信する格納場所情報送信手段とを備える。
【００１８】
この構成により、携帯端末のユーザは、電子メール処理サーバから送信される格納場所情報に基づいて格納場所にアクセスすることで、当選後、直ぐに懸賞のデジタルコンテンツを得ることができる。又、当選したことを示す格納場所情報が電子メールに添付されている為、ユーザは、抽選により当選したことをリアルタイムに認識することができる。
【００１９】
【発明の実施の形態】
以下、本発明の実施形態について図面を参照して説明する。
（第一実施形態）
尚、以下で説明する電子メール処理システムにおいては、電子メールの送信側と受信側の双方に対し、その電子メールのデータ量に応じて料金が発生する料金体系を採用している。
図１は、本発明の第一実施形態に係る電子メール処理システムの構成図である。電子メール処理システム１は、ＰＣ、携帯情報端末、及び携帯電話機等の電子メールを送信する端末として送信側携帯電話機２００、送信側携帯電話機２００から送信される電子メールをＳＭＴＰ（Ｓｉｍｐｌｅ　Ｍａｉｌ　Ｔｒａｎｓｆｅｒ　Ｐｒｏｔｏｃｏｌ）に基づいてネットワーク５００に送出するＳＭＴＰサーバ１００、インターネット等のネットワーク５００、送信側携帯電話機２００から送信される電子メールを受信する受信側携帯電話機３００、及び受信側携帯電話機３００からのＨＴＴＰ（Ｈｙｐｅｒｔｅｘｔ　　Ｔｒａｎｓｆｅｒ　　Ｐｒｏｔｏｃｏｌ）リクエストに応じて情報を提供するウェブサーバ４００を備えて構成される。
【００２０】
尚、ＳＭＴＰサーバ１００及びウェブサーバ４００はネットワーク５００に有線又は無線で接続され、受信側携帯電話機３００はネットワーク５００に無線で接続可能である。
【００２１】
送信側携帯電話機２００は、電子メールを受信側携帯電話機３００に対して送信する為の端末である。受信側携帯電話機３００は、受信した電子メールに追記されているＵＲＬにアクセス可能なブラウザを搭載し、ＨＴＴＰに基づいてウェブサーバ６にアクセス可能である。
【００２２】
ＳＭＴＰサーバ１００は、受信部１０１、制御部１０２、送信部１０３、送信情報蓄積部１０４、抽選部１０５、懸賞情報データベース１０６、及び送信情報データベース１０７を備えて構成される。尚、懸賞情報データベース１０６及び送信情報データベース１０７は、ＳＭＴＰサーバ１００からアクセス可能であれば良く、ＳＭＴＰサーバ１００の外部に設けられたデータベースを用いても構わない。
【００２３】
受信部１０１は、送信側携帯電話機２００から送信される電子メールを受信し、受信した電子メールを制御部１０２に伝達する。送信部１０３は、制御部１０２から伝達される電子メールを制御部１０２の制御によりＳＭＴＰに基づいてネットワーク５００を介して受信側携帯電話機３００に送信する。
【００２４】
送信情報蓄積部１０４は、受信部１０１で受信した電子メールの送信情報（送信先の携帯電話機名、送信データ量等）をその電子メールのヘッダ情報等から抽出し、送信情報データベース１０７に蓄積する。
【００２５】
送信情報データベース１０７には、受信部１０１で受信した電子メールの送信情報が、その電子メールの送信先の携帯電話機毎に蓄積される。例えば、ある携帯電話機Ａに対して過去に１０回電子メールが送信されており、その１０回の電子メールのデータ量の合計が１メガバイトであった場合、送信情報データベース１０７には、携帯電話機Ａについて、電子メールの受信回数１０回、受信データ量の合計１メガバイトという数値が記録される。
【００２６】
抽選部１０５は、受信部１０１で受信された電子メールの送信先の携帯電話機について蓄積された送信情報を基に、該電子メールの送信先の携帯電話機の所有者（以下、送信先ユーザという）に対して行う抽選の当選確率を決定し、決定した当選確率に基づいて抽選を行い、抽選の結果を制御部１０２に通知する。例えば、電子メールの受信回数が所定値よりも多い送信先ユーザや電子メールのデータ受信量が所定値よりも多い送信先ユーザに対しては、当選確率を高くする。又、電子メールの受信回数やデータ受信量が所定値以下の送信先ユーザについては、全て一律の当選確率に設定する。
【００２７】
懸賞情報データベース１０６には、受信部１０１で受信される電子メールの送信先ユーザに対して与えられる懸賞の内容を示す情報（旅行券をプレゼントすることを説明する文章等）が、固有のＵＲＬ（Ｕｎｉｖｅｒｓａｌ　　Ｒｅｓｏｕｒｃｅ　　Ｌｏｃａｔｅｒ）を割り当てられて記録される。
【００２８】
尚、懸賞情報データベース１０６は、ウェブサーバ４００が直接アクセスして、所望の懸賞情報をダウンロードすることが可能な共有データベースである。又、送信先ユーザに与える懸賞を、携帯電話機用の壁紙や着信メロディ、携帯電話機用のゲーム等のデジタルコンテンツにした場合、懸賞情報データベース１０６には、懸賞の内容を示す情報ではなく、デジタルコンテンツそのものを記録しておく構成とする。
【００２９】
制御部１０２は、上記各部を制御すると共に、抽選部１０５から通知される抽選結果に応じて、受信部１０１から伝達された電子メールに処理を施す。受信部１０１から伝達された電子メールの送信先ユーザが当選したという通知が抽選部１０５からあった場合、該ユーザに与える懸賞のＵＲＬ情報を電子メールに添付して送信部１０３に伝達する。一方、送信先ユーザが当選していなかった場合は、電子メールに処理を施さず、そのまま送信部１０３に伝達する。
【００３０】
ウェブサーバ６は、受信側携帯電話機３００からのＨＴＴＰのリクエスト中に含まれるＵＲＬ情報に基づいて懸賞情報データベース１０６から懸賞情報をダウンロードし、ダウンロードした懸賞情報をＨＴＴＰのレスポンスで受信側携帯電話機３００に返信する。
【００３１】
次に、電子メールがＳＭＴＰサーバ１００で受信されてから受信側携帯電話機３００で懸賞情報が取得されるまでの電子メール処理システム１の動作について説明する。
図２は、電子メールがＳＭＴＰサーバで受信されてから、受信側携帯電話機に送信されるまでの流れを説明する為のフローチャートである。
【００３２】
ＳＭＴＰサーバ１００でＳＭＴＰに基づいて電子メールが受信されると（Ｓ２１）、その電子メールの送信情報が送信情報データベース１０７に蓄積され（Ｓ２２）、蓄積された送信情報に基づいて、該電子メールの送信先ユーザに対して行われる抽選の当選確率が決定される（Ｓ２３）。当選確率が決定されると、その当選確率に基づいて抽選が行われる（Ｓ２４）。
【００３３】
この抽選により、送信先ユーザが当選した場合（Ｓ２５：ＹＥＳ）、送信先ユーザに与えられる懸賞の懸賞情報のＵＲＬ情報が電子メールに添付され（Ｓ２６）、該電子メールがＳＭＴＰに基づいて受信側携帯電話機３００に送信される（Ｓ２７）。一方、送信先ユーザが当選しなかった場合（Ｓ２５：ＮＯ）、電子メールはそのまま受信側携帯電話機３００に送信される（Ｓ２７）。
【００３４】
ＵＲＬ情報が添付された電子メールを受信した受信側携帯電話機３００は、ＨＴＴＰに基づいてＵＲＬ情報にアクセスする。受信側携帯電話機３００からＵＲＬ情報にアクセスがあると、ウェブサーバ４００でＨＴＴＰのリクエストが受信され、そのリクエストに含まれるＵＲＬ情報に基づいて、懸賞情報が取得され、取得された懸賞情報がＨＴＴＰのレスポンスで受信側携帯電話機３００に返信される
【００３５】
受信側携帯電話機３００では、ブラウザ上に懸賞情報が表示される。受信側携帯電話機３００のユーザは、この懸賞情報を基に、懸賞の交換を受付ける経営店等に受信側携帯電話機３００を持っていき、ブラウザ上の懸賞情報を経営店側に提示することで、懸賞を受け取る。
【００３６】
尚、上記の説明では、送信先ユーザにのみ抽選を行っているが、電子メールの送信情報として、電子メールの送信元の携帯電話機名、送信データ量の合計、及び合計送信回数等を蓄積しておき、これらの情報に基づいて決定された当選確率で、電子メールの送信者に抽選を行っても良い。
【００３７】
以上のように、本実施形態によれば、電子メールの送信先ユーザに対して蓄積される送信情報に基づいて、抽選の当選確率が決定される為、送信先ユーザは、電子メールを受信すればするほど、懸賞を貰える確率を上げることが可能となる。したがって、電子メールの受信料を負担する送信先ユーザにとっても利益のあるサービスを提供することができる。
【００３８】
又、懸賞の内容を示す情報のＵＲＬ情報が電子メールに添付されて、当選した送信先ユーザに送信されてくる為、当選したユーザは、このＵＲＬ情報に基づいてすぐに懸賞の内容を知ることができる。
【００３９】
又、本実施形態の電子メール処理システムでは、電子メールを送受信するという、日常において普通に行われている作業を行うだけで懸賞への応募がなされていることになる為、ユーザは、懸賞への応募を意識することなく、懸賞を貰うことが可能となる。一方、システム管理者にとっては、電子メール送受信の数や送受信するデータ量の増加を期待することができる。したがって、携帯電話機のユーザとシステム管理者との双方におって利益のあるサービスが可能となる。
【００４０】
尚、本実施形態では、抽選部１０５が、送信情報データベース１０７に蓄積される送信情報に基づいて、抽選の当選確率を決定して抽選を行う構成としたが、送信情報データベース１０７に蓄積される送信情報が所定条件を満たしたときに、抽選部１０５が抽選を開始する構成としても良い。
【００４１】
例えば、送信先ユーザの電子メール受信回数が１００回を超える毎に１回抽選を行ったり、送信先ユーザの電子メールのデータ受信量の合計が１メガバイトになる毎に１回抽選を行ったりといった処理を行う。このようにすることでも、上記と同様の効果を得ることができる。
【００４２】
（第二実施形態）
本発明の第二実施形態に係る電子メール処理システムは、電子メールの受信側が、該電子メールの受信をするか否かを判断できる構成となっている。つまり、不要な情報であれば、その電子メールを受信しないようにすることで、電子メール受信にかかる料金の無駄を無くすことができるシステムである。
【００４３】
図３は、本発明の第二実施形態に係る電子メール処理システムの構成図である。電子メール処理システム２は、第一実施形態で説明した電子メール処理システム１のＳＭＴＰサーバ１００の構成に、電子メール保管部２０１、電子メール受信通知部２０３、及び電子メール受信要求受付部２０４を加えたものである。
【００４４】
電子メール保管部２０１は、受信部１０１で受信した電子メールを所定期間保管する。電子メール受信通知部２０３は、受信部１０１で電子メールが受信され、電子メール保管部２０１に電子メールが保管されたことを受信側携帯電話機３００に電子メール受信通知メールを送信して通知する。電子メール受信通知メールには、送信者情報、件名、及び電子メール本文の一部等が含まれており、受信側携帯電話機３００のユーザは、電子メール受信通知メールを確認して、電子メールの全文を受信するか否か決定する。
【００４５】
電子メール受信要求受付部２０４は、受信側携帯電話機３００のユーザが、電子メール受信通知メールを確認して、電子メール全文を受信したい場合に、該ユーザによって送信される電子メール受信要求を受付けて、制御部２０２に通知する。
【００４６】
制御部２０２は、電子メール受信要求受付部２０３からの通知により、送信先ユーザによって要求されている電子メールを電子メール保管部２０１から取得する。蓄積部１０４は、制御部２０２が取得した電子メールの送信情報を送信情報データベース１０７に蓄積する。
【００４７】
次に、電子メールがＳＭＴＰサーバ２００で受信されてから受信側携帯電話機３００で懸賞情報が取得されるまでの電子メール処理システム２の動作について説明する。
図４は、電子メールがＳＭＴＰサーバで受信されてから、受信側携帯電話機に送信されるまでの流れを説明する為のフローチャートである。尚、図２と同様の動作には同一符号を付して説明を省略する。
【００４８】
ＳＭＴＰサーバ２００でＳＭＴＰに基づいて電子メールが受信されると（Ｓ４１）、その電子メールが一時的に保管され（Ｓ４２）、電子メール受信通知メールが受信側携帯電話機３００に送信される（Ｓ４３）。電子メール受信通知メールを受信した受信側携帯電話機３００によって、電子メール全文の受信要求があると、その電子メール受信要求が受付けられ（Ｓ４４）、保管されていた電子メールの送信情報が蓄積される（Ｓ４５）。その後の動作は第一実施形態と同様である。
【００４９】
以上のように、本実施形態によれば、電子メールの送信先ユーザに対して蓄積される送信情報に基づいて、抽選の当選確率が決定される為、第一実施形態と同様の効果が得られる。
【００５０】
又、電子メールの受信回数やデータ受信量を多くすることで、懸賞を貰える確率を上けることができる為、受信側携帯電話機３００のユーザは、自分にとって不要な情報（広告メール等）であっても、電子メールの全文を受信するようになる。この為、広告メール等の配信業者は、広告効果を向上させることができる。又、携帯電話機の電子メールの送受信を管理する通信業者にとっても電子メールの利用を促進させることができる。
【００５１】
【発明の効果】
本発明によれば、電子メールの受信者にとっても利益のある懸賞提供サービスを行うことが可能な抽選機能付き電子メール処理サーバを提供することができる。
【図面の簡単な説明】
【図１】本発明の第一実施形態に係る電子メール処理システムの構成図である。
【図２】電子メールがＳＭＴＰサーバで受信されてから、受信側携帯電話機に送信されるまでの流れを説明する為のフローチャートである。
【図３】本発明の第二実施形態に係る電子メール処理システムの構成図である。
【図４】電子メールがＳＭＴＰサーバで受信されてから、受信側携帯電話機に送信されるまでの流れを説明する為のフローチャートである。
【符号の説明】
１，２　電子メール処理システム
１００，２００　ＳＭＴＰサーバ
２００　送信側携帯電話機
３００　受信側携帯電話機
４００　ウェブサーバ
５００　ネットワーク
１０１　受信部
１０２，２０２　制御部
１０３　送信部
１０４　送信情報蓄積部
１０５　抽選部
１０６　懸賞情報データベース
１０７　送信情報データベース
２０１　電子メール保管部
２０３　電子メール受信通知部
２０４　電子メール受信要求受付部
【図１】
2004118557.tif 000003
【図２】
2004118557.tif 000004
【図３】
2004118557.tif 000005
【図４】
2004118557.tif 000006